(57)【特許請求の範囲】
【請求項１】
川底に敷設された遮水シートと、
根固め工と、
川底に打設された遮水板とを備え、
前記遮水板には魚が通過可能な切欠き部が設けられ、
前記遮水板に接する下流側の根固め工は、さらに下流側の根固め工よりも低く配置されることによりプールが形成されていることを特徴とする床止め工。
【請求項２】
前記根固め工により前記遮水板の川幅方向端部が固定されていることを特徴とする請求項１に記載の床止め工。
【発明の詳細な説明】
【技術分野】
【０００１】
本発明は、河川改修により、魚道を構築するための根固め工と遮水板による床止め工法に関する。
【背景技術】
【０００２】
洪水等による河川災害などで河床低下が生じた場合、河川横断構造物(帯工等)下流や自然河床部に落差が生じるため、河川改修により落差部に床止め工や魚道が設置される。
【０００３】
例えば、深い沼区間と瀬区間とを繰り返して施工し、水中生物が自由に上流及び下流に移動できるように様々な棲息環境を造成し、食物連鎖による河川の健康な生態系を造成する河川の水中生態系復元工法が知られている（特許文献１を参照）。
この公知技術は、河川底と同じ高さに設けられる上流及び下流遮断壁と、それらの上流及び下流遮断壁の間で所定の深さに浚渫される貯水部とから構成される沼区間を複数設け、その沼区間の間に瀬区間を設けることにより、水中生態系復元の基本環境を造成し、その基本環境から河川の水中生態系を復元できるようにしたものである。
【０００４】
一方、取水のための落差工に組み合わせた魚類に優しい魚道をどのように構築するかを解決した魚道を組み合わせた河川表流水取水工法が知られている（特許文献２を参照）。
この公知技術は、河川の左右両河岸部に構築した護岸基礎間に、コンクリートに粗石を一部が表面に露出した状態に埋め込み、河川を横断して形成した落差工の上流側に、該落差工と一体的に同じくコンクリートの粗石を一部が表面に露出した状態に埋め込んだ水叩き工を形成し、該水叩き工と落差工とにわたる表流水取水のための保水を目的とする流れ方向の導水路を、上記水叩き工より低床かつ上記落差工で縮幅して形成し、上記落差工の直下流に、松杭と松丸太を組み合わせ粗石で間詰めを行って、上記導水路の直下流が深く両河岸方向に漸次浅くし、かつ緩やかな流れ勾配を持たせて、上記導水路に続く凹溝状の川筋を形成し、該川筋を魚道の遡上が容易な魚道としたものである。
【０００５】
この魚道を組み合わせた河川表流水取水工法は、導水路の直下流に魚道を形成し、河床全面に粗石が敷き詰められているため、河床部の流れは粗石と粗石の間を紆余曲折して変化し、また導水路内も側壁が粗石により出入しているため流れが変化して魚類の通過が容易となり、粗石同士の間は魚巣とも成り得るものである。
これに対して、床止め工と魚道を容易且つ安価に設置可能とすること及び不定形な河道断面に対しても床止め工と魚道を設置可能とすることが望まれていた。
【先行技術文献】
【特許文献】
【０００６】
【特許文献１】特開２００６−１４４５３９号公報
【特許文献２】特許第２５６７３４２号公報(図６〜１０を参照)
【発明の概要】
【発明が解決しようとする課題】
【０００７】
しかしながら、従来技術では、コンクリート等の強固な床止め工及び魚道を設置してきたが、その設置に伴い用地の拡幅、堤防の開削、多大な工事費、長い工事期間が必要であった。
本発明は、斯かる問題点に鑑みてなされたものであり、洪水等による河川災害などで河床低下が生じた場合、上記課題を解決できる、河川改修により落差部に床止め工や魚道を構築するための根固め工と遮水板による床止め工法を提供することを目的とする。
【課題を解決するための手段】
【０００８】
請求項１に係る発明は、川底に敷設された遮水シートと、
根固め工と、
川底に打設された遮水板とを備え、
前記遮水板には魚が通過可能な切欠き部が設けられ、
前記遮水板に接する下流側の根固め工は、さらに下流側の根固め工よりも低く配置されることによりプールが形成されていることを特徴とする請求項２に記載の床止め工である。
請求項２に係る発明は、
前記根固め工により前記遮水板の川幅方向端部が固定されていることを特徴とする請求項１に記載の床止め工である。
【発明の効果】
【０００９】
本発明の魚道を構築するための根固め工と遮水板による床止め工法は、根固め工及び遮水板を用いるので非常に安価に構築できる。また、用地の拡幅、堤防の開削等が不要になるので、その結果、従来技術に比べて安価で、工期が短くすることが出来る。さらに、根固め工の位置・段数を変え、遮水板の形状を買えることにより、不定形な河道断面に対しても施工することが出来る。
【図面の簡単な説明】
【００１０】
【図１】本発明の魚道を構築するための根固め工と遮水板による床止め工法の平面図である。
【図２】本発明の魚道を構築するための根固め工と遮水板による床止め工法の縦断図である。
【図３】図１の矢視Ａ−Ａ断面図である。
【図４】図１の矢視Ｂ−Ｂ断面図である。
【図５】図１の矢視Ｃ−Ｃ断面図である。
【図６】図１の矢視Ｄ−Ｄ断面図である。
【図７】図１の矢視Ｅ−Ｅ断面図である。
【図８】図１の矢視Ｆ−Ｆ断面図である。
【図９】図１の矢視Ｇ−Ｇ断面図である。
【図１０】図１の矢視Ｈ−Ｈ断面図である。
【図１１】本発明の魚道を構築するための根固め工と遮水板による床止め工法の斜視図である。
【図１２】図1に係る遮水板の正面図である。
【発明を実施するための形態】
【００１１】
本発明の魚道を構築するための根固め工と遮水板による床止め工法の一実施例を添付図面に基づいて、以下に説明する。
図１の平面図、図２の縦断図に示すように、本発明の魚道を構築するための根固め工と遮水板による床止め工法は、根固め工の袋詰め石工１の段積み及び板柵土留め（遮水板）２の遮水工により床止め工を構築し、遮水板２の切欠き部により魚道を形成し、遮水シート３により伏流を防止すると共に、根固め工の袋詰め石工１の配置により魚道としての通路４およびプール（深い淵）５を設ける。すなわち、袋詰め石工１を段数を下流部分よりも小さくすることにより（図２では、下流部分が２段で、プールでは１段）プール５を形成している。
【００１２】
前記根固め工としては、主として袋詰め石工１を用いるが、カゴ工、コンクリートブロックであっても良い。
前記遮水工としては、図１２に示すように、プラ擬木、板柵土留め２を用いた遮水板は、鋼材の支柱を河底に打設して安定を確保し、前記支柱に木材や樹脂による板を組み合わせたものである。また、図１に示すように袋詰め石工１により遮水板の川幅方向端部が固定されている。遮水板の厚さは流量などにより、長さは川幅により計算され定められる。本実施例に係る遮水板は、中央部分と左右部分が別体となっている。中央部分の高さが左右部分よりも低いため、切欠き部６が形成されることとなっている。
また、魚道を形成するための遮水板の切欠き部６の切断形状は、河川流量および対象魚に対応した自由な形状の設置が可能である。
根固め工としては、遮水板の前面および根固め工下部には遮水シート３を設置する。
また、必要により管渠により潜孔を設ける。
【００１３】
本発明の魚道を構築するための根固め工と遮水板による床止め工法を下流側から順を追って説明する。
図３の図１の矢視Ａ−Ａ断面図に示すように、河底に河幅一杯に遮水シート３を敷設し、該遮水シート３上に袋詰め石工１を１層に設置して河床を形成し、さらに両護岸に沿って階段状に袋詰め石工１を２層段積みに形成する。
この根固め工によって、袋詰め石工１の１層の中央部には魚道としての通路４が形成され、この通路４の両側には前記袋詰め石工１の２層段積みが形成される。
さらに、この上流側には河幅を横断して鋼材の支柱を３層段積みの高さで河底に打設して、前記支柱に木材や樹脂による板を組み合わせた板柵土留め２の遮水板が設けられる。
前記遮水板には魚道となる切欠き部６が設けられ、この遮水板の切欠き部６により溢水する魚道水位が確保される。
【００１４】
図４の図１の矢視Ｂ−Ｂ断面図に示すように、前記板柵土留め２の遮水板の上流側に、前述と同様に河底に河幅一杯に遮水シート３を敷設し、該遮水シート３上に袋詰め石工１を２層に設置して河床を形成し、さらに両護岸に沿って階段状に袋詰め石工１を１層段積みに形成する。
この根固め工によって、袋詰め石工１の２層の中央部には魚道としての通路４が形成され、この通路４の両側には前記袋詰め石工１の１層段積みが形成される。
【００１５】
図５の図１の矢視Ｃ−Ｃ断面図に示すように、前述の魚道としての通路４の上流側に前記遮水シート３上に袋詰め石工１を１層に設置して河床を形成し、さらに両護岸に沿って階段状に袋詰め石工１を３層段積みに形成する。
この根固め工によって、袋詰め石工１の１層の中央部には魚巣としてのプール（深い淵）５が形成され、このプール（深い淵）５の両側には前記袋詰め石工１の３層段積みが形成される。
さらに、河幅を横断して鋼材の支柱を４層段積みの高さで河底に打設して、前記支柱に木材や樹脂による板を組み合わせた板柵土留め２の遮水板が設けられる。
前記遮水板には魚道となる切欠き部６が設けられ、この遮水板の切欠き部６により溢水する魚道水位が確保される。
【００１６】
図６の図１の矢視Ｄ−Ｄ断面図に示すように、前記板柵土留め２の遮水板の上流側に、前述と同様に河底に河幅一杯に遮水シート３を敷設し、該遮水シート３上に袋詰め石工１を２層に設置して河床を形成し、さらに両護岸に沿って階段状に袋詰め石工１を１層段積みに形成する。
この根固め工によって、袋詰め石工１の２層の中央部には魚道としての通路４が形成され、この通路４の両側には前記袋詰め石工１の１層段積みが形成される。
【００１７】
図７の図１の矢視Ｅ−Ｅ断面図に示すように、前述の魚道としての通路４の上流側に前記遮水シート３上に袋詰め石工１を１層に設置して河床を形成し、さらに両護岸に沿って階段状に袋詰め石工１を３層段積みに形成する。
この根固め工によって、袋詰め石工１の１層の中央部には魚巣としてのプール（深い淵）５が形成され、このプール（深い淵）５の両側には前記袋詰め石工１の３層段積みが形成される。
さらに、河幅を横断して鋼材の支柱を４層段積みの高さで河底に打設して、前記支柱に木材や樹脂による板を組み合わせた板柵土留め２の遮水板が設けられる。
前記遮水板には魚道となる切欠き部６が設けられ、この遮水板の切欠き部６により溢水する魚道水位が確保される。
【００１８】
図８の図１の矢視Ｆ−Ｆ断面図に示すように、前記板柵土留め２の遮水板の上流側に、前述と同様に河底に河幅一杯に遮水シート３を敷設し、該遮水シート３上に袋詰め石工１を３層に設置して河床を形成し、さらに両護岸に沿って階段状に袋詰め石工１を１層段積みに形成する。
この根固め工によって、袋詰め石工１の３層の中央部には魚道としての通路４が形成され、この通路４の両側には前記袋詰め石工１の１層段積みが形成される。
【００１９】
図９の図１の矢視Ｇ−Ｇ断面図に示すように、前述の魚道としての通路４の上流側に前記遮水シート３上に袋詰め石工１を２層に設置して河床を形成し、さらに両護岸に沿って階段状に袋詰め石工１を２層段積みに形成する。
この根固め工によって、袋詰め石工１の２層の中央部には魚巣としてのプール（深い淵）５が形成され、このプール（深い淵）５の両側には前記袋詰め石工１の２層段積みが形成される。
【００２０】
図１０の図１の矢視Ｈ−Ｈ断面図に示すように、前述の魚巣としてのプール（深い淵）５の上流側に前記遮水シート３上に袋詰め石工１を２層に設置して河床を形成し、さらに両護岸に沿って階段状に袋詰め石工１を１層段積みに形成する。
この根固め工によって、袋詰め石工１の２層の中央部には魚道としての通路４が形成され、この通路４の両側には前記袋詰め石工の１層段積みが形成される。
【００２１】
図１１の斜視図に示すように、このようにして構築された本発明の魚道を構築するための根固め工と遮水板による床止め工法は、河底に河幅一杯に遮水シート３を敷設し、袋詰め石工１を設置することにより伏流水を防止すると共に、河幅を横断して鋼材の支柱を河底に打設して、前記支柱に木材や樹脂による板を組み合わせた板柵土留め２の遮水板が設けられ、該遮水板には切欠き部６が設けられるため、魚道が形成される。
このようにして、床止め工と魚道を容易且つ安価に設置可能とすること及び不定形な河道断面に対しても床止め工と魚道を設置可能とすることができる。
上流からの流水は最上流の板柵土留め２の遮水板により堰き止められ、満水状態から最上流の遮水板の切欠き部６から溢水され、次段の遮水板により満水状態のプール(深い淵)５へ落水し、更に次段の遮水板の切欠き部６から溢水され、次段のプール（深い淵）５へ落水する。この落水高さは、河川流量および対象魚に対応した自由な形状によって設定される。
また、前記板柵土留め２の遮水板の切欠き部６の直下流には、魚巣としてのプール（深い淵）５が形成されているので、魚類の通過が容易となる。
上記実施の実施の形態によれば、根固め工の袋詰め石工の段積み及び板柵土留めの遮水工により床止め工を構築し、板柵土留めの遮水板の切欠き部により魚道を形成し、河底に遮水シートを敷設することにより伏流を防止すると共に、根固め工の袋詰め石工の配置により魚道としての通路およびプールを設けるため、床止め工と魚道を容易且つ安価に設置可能とすることができ、不定形な河道断面に対しても設置可能とすることができる効果がある。
さらに、用地の拡幅、堤防の開削等が不要になり、工期の短縮、工費の削減につながる。また現地発生のコンクリートガラの再利用が可能であり、産業廃棄物も少なく工費の削減になる。すなわち、改修された河川には護岸が設置されているケースが多く、洪水などにより河床低下が進行した場合、再度の改修時に既設護岸を撤去し新たな護岸を設置することとなる。撤去する既設護岸はコンクリ−トガラとなり産業廃棄物として費用をかけて処理する。しかしながら、本実施の形態によれば当該コンクリ−トガラを再利用し袋詰め石工１に使用することで経費の削減となる。
なお、切欠き部の形状は、正面視矩形に限定されず、三角その他の多角形、半円形、半楕円形等、本発明を実施する上で好適な形状することが出来る。また、孔であってもよい。
また、遮水板６は、上記実施の形態では三分割されたものであったが、２つ又は４つ以上に分割されたものであっても、また一体のものであってもよい。
【符号の説明】
【００２２】
１  袋詰め石工（根固め工）
２  板柵土留め（遮水板）
３  遮水シート
４  通路
５  プール（深い淵）
６  切欠き部
【図１】
0005518795.tif 000002
【図２】
0005518795.tif 000003
【図３】
0005518795.tif 000004
【図４】
0005518795.tif 000005
【図５】
0005518795.tif 000006
【図６】
0005518795.tif 000007
【図７】
0005518795.tif 000008
【図８】
0005518795.tif 000009
【図９】
0005518795.tif 000010
【図１０】
0005518795.tif 000011
【図１１】
0005518795.tif 000012
【図１２】
0005518795.tif 000013